(57)【要約】      （修正有）【課題】２リットルのペットボトルを収納できる大きさの収納部を少なくとも４ヶ所有したライフジャケットを提供する。【解決手段】ライフジャケットＬは、左右一対の前身ごろ１と後身ごろを有する本体１０と、左の前身ごろ１ａの表面に取り付けられ、２リットルのペットボトルＰＬを収納できる大きさの左前収納部３と、右の前身ごろ１ｂの表面に取り付けられ、２リットルのペットボトルＰＬを収納できる大きさの右前収納部４と、後身ごろの表面に取り付けられ、背面視、後身ごろの左に位置し、２リットルのペットボトルＰＬを収納できる大きさの左後収納部と、後身ごろ２の表面に取り付けられ、背面視、後身ごろ２の右に位置し、２リットルのペットボトルＰＬを収納できる大きさの右後収納部とを備えているものである。【選択図】図１
0003177728.tif 000002
【実用新案登録請求の範囲】
【請求項１】
左右一対の前身ごろと後身ごろを有する本体と、
前記左の前身ごろの表面に取り付けられ、２リットルのペットボトルを収納できる大きさの左前収納部と、
前記右の前身ごろの表面に取り付けられ、２リットルのペットボトルを収納できる大きさの右前収納部と、
前記後身ごろの表面に取り付けられ、背面視、前記後身ごろの左に位置し、２リットルのペットボトルを収納できる大きさの左後収納部と、
前記後身ごろの表面に取り付けられ、背面視、前記後身ごろの右に位置し、２リットルのペットボトルを収納できる大きさの右後収納部と、
を備えていることを特徴とするライフジャケット。
【請求項２】
後身ごろの表面に取り付けられ、左後収納部及び右後収納部の上に位置し、５００ミリリットルのペットボトルを横長状に収納できる大きさの後中央上部収納部を備えている    ことを特徴とする請求項１記載のライフジャケット。
【請求項３】
左右一対の前身ごろと後身ごろを有する本体と、
前記左の前身ごろの表面に取り付けられ、２リットルのペットボトルを縦長状に収納できる大きさの左前収納部と、
前記右の前身ごろの表面に取り付けられ、２リットルのペットボトルを縦長状に収納できる大きさの右前収納部と、
前記後身ごろの表面に取り付けられ、背面視、前記後身ごろの左に位置し、２リットルのペットボトルを縦長状に収納できる大きさの左後収納部と、
前記後身ごろの表面に取り付けられ、背面視、前記後身ごろの右に位置し、２リットルのペットボトルを縦長状に収納できる大きさの右後収納部と、
を備え、
４個の２リットルの空のペットボトルを、前記左前収納部、前記右前収納部、前記左後収納部及び前記右後収納部に、それぞれ１個ずつ収納している
ことを特徴とするライフジャケット。
【考案の詳細な説明】
【技術分野】
【０００１】
本考案は、ライフジャケットに係り、特に、２リットルのペットボトルを収納できる大きさの収納部を少なくとも４ヶ所有したライフジャケットに関する。
【背景技術】
【０００２】
従来、衣服本体に空のペットボトルの浮力体を装填するための専用ポケットを設けた救命衣がある（例えば、特許文献参照）。
【先行技術文献】
【特許文献】
【０００３】
【特許文献１】実用新案登録第３１０５５７０号公報  図３
【考案の概要】
【考案が解決しようとする課題】
【０００４】
上記救命衣にあっては、前身ごろに２ヶ所、後身ごろに１ヶ所に、それぞれ空のペットボトルを装着でき、該空のペットボトルは、５００ミリリットル程度の小さいものとなっている。
ところが、津波等の災害時、上記のような５００ミリリットル程度の空のペットボトル３個程度では、浮力が不十分で、上半身の立設状態を保持できないと共に、例えば、背面の後身ごろのほとんどは、流れてくる障害物に直接面しているため、流れてくる障害物から体の部位を守ることができないという問題点があった。
【０００５】
本考案は、上記の問題点を除去するようにしたライフジャケットを提供することを目的とする。
【課題を解決するための手段】
【０００６】
請求項１記載のライフジャケットは、左右一対の前身ごろと後身ごろを有する本体と、前記左の前身ごろの表面に取り付けられ、２リットルのペットボトルを収納できる大きさの左前収納部と、前記右の前身ごろの表面に取り付けられ、２リットルのペットボトルを収納できる大きさの右前収納部と、前記後身ごろの表面に取り付けられ、背面視、前記後身ごろの左に位置し、２リットルのペットボトルを収納できる大きさの左後収納部と、前記後身ごろの表面に取り付けられ、背面視、前記後身ごろの右に位置し、２リットルのペットボトルを収納できる大きさの右後収納部とを備えているものである。
【０００７】
また、請求項２記載のライフジャケットは、請求項１記載のライフジャケットにおいて、後身ごろの表面に取り付けられ、左後収納部及び右後収納部の上に位置し、５００ミリリットルのペットボトルを横長状に収納できる大きさの後中央上部収納部を備えているものである。
【０００８】
また、請求項３記載のライフジャケットは、左右一対の前身ごろと後身ごろを有する本体と、前記左の前身ごろの表面に取り付けられ、２リットルのペットボトルを縦長状に収納できる大きさの左前収納部と、前記右の前身ごろの表面に取り付けられ、２リットルのペットボトルを縦長状に収納できる大きさの右前収納部と、前記後身ごろの表面に取り付けられ、背面視、前記後身ごろの左に位置し、２リットルのペットボトルを縦長状に収納できる大きさの左後収納部と、前記後身ごろの表面に取り付けられ、背面視、前記後身ごろの右に位置し、２リットルのペットボトルを縦長状に収納できる大きさの右後収納部と、を備え、４個の２リットルの空のペットボトルを、前記左前収納部、前記右前収納部、前記左後収納部及び前記右後収納部に、それぞれ１個ずつ収納しているものである。
【考案の効果】
【０００９】
請求項１記載のライフジャケットによれば、津波等の災害時、浮力材、例えば、４個の２リットルの空のペットボトル（又は、発泡材等）を、左前収納部、右前収納部、左後収納部及び右後収納部に、それぞれ収納しているため、浮力を得ることができ、しかも、装着した本体の前後の４個の２リットルの空のペットボトル等の浮力材により、流れてくる障害物から体をも守ることができる。
【００１０】
また、請求項２記載のライフジャケットによれば、上述した請求項１記載の考案の効果に加え、後身ごろの表面に取り付けられ、左後収納部及び右後収納部の上に位置し、５００ミリリットルのペットボトルを横長状に収納できる大きさの後中央上部収納部を備えているため、、津波等の災害時、浮力材、例えば、５００ミリリットルの空のペットボトル（又は、発泡材等）を、後中央上部収納部に収納して、浮力を得ることができる。
【００１１】
また、請求項３記載のライフジャケットによれば、津波等の災害時、４個の２リットルの空のペットボトルを、左前収納部、右前収納部、左後収納部及び右後収納部に、それぞれ１個ずつ収納しているため、浮力を得ることができ、しかも、装着した本体の前後の４個の２リットルの空のペットボトルにより、流れてくる障害物から体をも守ることができる。
【図面の簡単な説明】
【００１２】
【図１】図１は、本考案の一実施例のライフジャケットの概略的正面図である。
【図２】図２は、図１のライフジャケットの概略的背面図である。
【図３】図３は、図１のライフジャケットの前身ごろの収納部へ空のペットボトルを収納する状態の概略的正面図である。
【図４】図４は、図２のライフジャケットの後身ごろの収納部へ空の２リットルのペットボトルを収納する状態の概略的背面図である。
【図５】図５は、図２のライフジャケットの後身ごろの収納部へ空の５００ミリリットルのペットボトルを収納する状態の概略的背面図である。装着した状態の概略的斜視図である。
【考案を実施するための形態】
【００１３】
本考案の一実施例のライフジャケットを図面を参照して説明する。
図１に示すＬはライフジャケットで、ライフジャケットＬは、左右一対の前身ごろ１と後身ごろ２を有する本体１０を有している。
【００１４】
図１及び図３に示す３は、左の前身ごろ１ａの表面に取り付けられ、２リットルのペットボトルＰＬを縦長状に収納できる大きさの左前収納部で、左前収納部３の開口部３ａは、ファスナーＦで開閉されるようになっている。
また、図１及び図３に示す４は、右の前身ごろ１ｂの表面に取り付けられ、２リットルのペットボトルＰＬを縦長状に収納できる大きさの右前収納部で、右前収納部４の開口部４ａは、ファスナーＦで開閉されるようになっている。
【００１５】
また、図２、図４及び図５に示す５は、後身ごろ２の表面に取り付けられ、背面視、後身ごろ２の左に位置し、２リットルのペットボトルＰＬを縦長状に収納できる大きさの左後収納部で、左後収納部５の開口部５ａは、ファスナーＦで開閉されるようになっている。
また、図２、図４及び図５に示す６は、後身ごろ２の表面に取り付けられ、背面視、後身ごろ２の右に位置し、２リットルのペットボトルＰＬを縦長状に収納できる大きさの右後収納部で、右後収納部６の開口部６ａは、ファスナーＦで開閉されるようになっている。
また、図２、図４及び図５に示す７は、後身ごろ２の表面に取り付けられ、左後収納部５及び右後収納部６の上に位置し、５００ミリリットルのペットボトルＰＳを横長状に収納できる大きさの後中央上部収納部で、後中央上部収納部７の開口部７ａは、ファスナーＦで開閉されるようになっている。
【００１６】
また、図１及び図３に示すｆは、左の前身ごろ１ａと右の前身ごろ１ｂとを接離自在にする前身ごろ用ファスナーで、Ｈは調整用紐、Ｓは調整用紐Ｈの適宜位置で調整用紐Ｈの動きを規制するストッパーである。
【００１７】
従って、上述したライフジャケットＬによれば、津波等の災害時、浮力材、例えば、４個の２リットルの空のペットボトルＰＬ（又は、発泡材等の浮力材）を、左前収納部３、右前収納部４、左後収納部５及び右後収納部６に、それぞれ収納し、また、５００ミリリットルの空のペットボトルＰＳ（又は、発泡材等の浮力材）を、後中央上部収納部７に収納しているため、浮力を得ることができ、しかも、装着した本体１０の前後の４個の２リットルの空のペットボトルＰＬ等の浮力材により、流れてくる障害物から体をも守ることができる。
なお、浮力材としては、入手し易く且つ強度の点から、２リットルの空のペットボトルＰＬ、５００ミリリットルの空のペットボトルＰＳが最適である。
【符号の説明】
【００１８】
Ｌ      ライフジャケット
１      前身ごろ
１ａ    左の前身ごろ
１ｂ    右の前身ごろ
２      後身ごろ
３      左前収納部
４      右前収納部
５      左後収納部
６      右後収納部
１０    本体
ＰＬ    ２リットルのペットボトル
【図１】
0003177728.tif 000003
【図２】
0003177728.tif 000004
【図３】
0003177728.tif 000005
【図４】
0003177728.tif 000006
【図５】
0003177728.tif 000007